(57)【要約】【課題】長期間表示書き換えを行わなかった後でも良好なコントラストで表示することができる情報表示用パネルを得ることができる情報表示用パネルの回復方法を提供する。【解決手段】情報表示用パネルの回復方法であって、少なくとも一方が透明な対向する基板間に正帯電性粒子および負帯電性粒子を配置し、配置した粒子を付与した電界で移動させ、透明な基板側に移動した粒子を視認することで情報を得る情報表示用パネルを表示書き換えする前に、長期間表示書き換えを行わなかった情報表示用パネルに対しては、所定の駆動電圧以上の電圧を、１０℃以上４０℃未満の温度で５００回−１５００回印加する処理を行った後、４０℃以上７０℃未満の温度で５０回−５００回印加する処理を行う。【選択図】図３
2013228615.tif 000002
【特許請求の範囲】
【請求項１】
少なくとも一方が透明な対向する基板間に正帯電性粒子および負帯電性粒子を配置し、配置した粒子を付与した電界で移動させ、透明な基板側に移動した粒子を視認することで情報を得る情報表示用パネルの回復方法であって、
前記情報表示用パネルに表示書き換えを実施する前に、
所定の駆動電圧以上の電圧を、５００回−１５００回印加する処理を１０℃以上４０℃未満の温度で行った後、所定の駆動電圧以上の電圧を、５０回−５００回印加する処理を４０℃以上７０℃未満の温度で行うことを特徴とする情報表示用パネルの回復方法。
【請求項２】
前記所定の駆動電圧を、対向する基板の各々に設けた電極間に形成する電圧を徐々に高くしていき、粒子を一方の基板側から他方の基板側へと移動させる際、９０％の粒子が一方の基板側から他方の基板側へと移動する電圧とする、請求項１に記載の情報表示用パネルの回復方法。
【発明の詳細な説明】
【技術分野】
【０００１】
本発明は、情報表示用パネルの回復方法に関するものである。
【背景技術】
【０００２】
従来、少なくとも一方が透明な対向する基板間に正帯電性粒子および負帯電性粒子を封入し、封入した粒子を付与した電界で移動させ、透明な基板に付着した粒子を視認することで画像等の情報を得る情報表示用パネルにおいて、表示向上および表示安定性に優れた情報表示用パネルを得るために、情報表示用パネルに対し、通常の駆動電圧である所定の駆動電圧よりも高電圧を予め印加する前処理を行うことが開示されている（特許文献１参照）。
【先行技術文献】
【特許文献】
【０００３】
【特許文献１】特開２００４−３４１０１８号公報
【発明の概要】
【発明が解決しようとする課題】
【０００４】
上述した従来技術では、表示向上および表示安定性に優れた情報表示用パネルを得ることができる（特許文献１）。しかし、例えば、情報表示用パネルを使用せずに長期保管した場合等に、粒子の電荷が抜けてしまい帯電量が低下し、その結果、その後に表示を実施したときにコントラストが低下してしまうという問題が発生していた。
【０００５】
本発明の目的は上述した問題点を解消して、長期保管等により情報表示用パネルの表示コントラストが低下した場合であっても、良好なコントラストに回復することができる情報表示用パネルの回復方法を提供しようとするものである。
【課題を解決するための手段】
【０００６】
本発明の情報表示用パネルの回復方法は、少なくとも一方が透明な対向する基板間に正帯電性粒子および負帯電性粒子を配置し、配置した粒子を付与した電界で移動させ、透明な基板側に移動した粒子で情報を得る情報表示用パネルの回復方法であって、前記情報表示用パネルに表示書き換えを実施する前に、所定の駆動電圧以上の電圧を、５００回−１５００回印加する処理を１０℃以上４０℃未満の温度で行った後、所定の駆動電圧以上の電圧を、５０回−５００回印加する処理を４０℃以上７０℃未満の温度で行うことを特徴とするものである。
【０００７】
また、本発明の情報表示用パネルの回復方法の好適例としては、前記所定の駆動電圧を、対向する基板の各々に設けた電極間に形成する電圧を徐々に高くしていき、粒子を一方の基板側から他方の基板側へと移動させる際、９０％の粒子が一方の基板側から他方の基板側へと移動する電圧とすることがある。
【発明の効果】
【０００８】
本発明の情報表示用パネルの回復方法によれば、長期間使用しないでいた、すなわち、表示書き換えをしないままで放置していた情報表示用パネルであっても、情報表示用パネルに表示書き換えを実施する前に、所定の駆動電圧以上の電圧を、５００回−１５００回印加する処理を１０℃以上４０℃未満の温度で行った後、所定の駆動電圧以上の電圧を、５０回−５００回印加する処理を４０℃以上７０℃未満の温度で行うことで、良好なコントラストで表示することができる。
【０００９】
また、好適例として、前記所定の駆動電圧が、対向する基板の各々に設けた電極間に形成する電圧を徐々に高くしていき、粒子を一方の基板側から他方の基板側へと移動させる際、９０％の粒子が一方の基板側から他方の基板側へと移動する電圧である場合は、駆動電圧を正確に設定することができ、上記情報表示用パネルの回復方法をより好適に実施することができる。
【図面の簡単な説明】
【００１０】
【図１】（ａ）、（ｂ）はそれぞれ本発明を適用する情報表示用パネルの一例を説明するための図である。
【図２】本発明の情報表示用パネルで表示媒体として用いた粒子の駆動電圧について説明するための図である。
【図３】本発明の情報表示用パネルの回復方法における活性化処理波形の一例を示すグラフである。
【図４】本発明の情報表示用パネルの回復方法を適用する、長パルス波形を含む駆動波形の一例を示すグラフである。
【発明を実施するための形態】
【００１１】
本発明について実施形態を例示して説明する。
＜本発明の適用対象となる情報表示用パネルについて＞
図１（ａ）、（ｂ）に示す、本発明を適用する情報表示用パネルの一例では、光学的反射率および帯電極性が異なる二種類の粒子群（ここでは、黒色表示媒体である正帯電性黒色粒子３Ｂａを含んだ正帯電性黒色粒子群３Ｂと、白色表示媒体である負帯電性白色粒子３Ｗａを含んだ負帯電性白色粒子群３Ｗとを示す）が、表示画面領域において隔壁４で区画形成された各セル７内に収められる。そして、基板１に設けられた導電性膜５（ここではストライプ電極）と観察側の表示画面領域が透明な基板２に設けられた透明導電性膜６（ここでは透明ストライプ電極）とが対向して形成された電極対の間に形成された電界に応じて、二種類の粒子群（正帯電性黒色粒子群および負帯電性白色粒子群）が、基板１、２が対向する向きに沿ってそれぞれが反対の方向に移動する。そして、図１（ａ）に示すように、負帯電性白色粒子群３Ｗを観察者に表示媒体として視認させて白色の表示をあるいは、図１（ｂ）に示すように正帯電性黒色粒子群３Ｂを観察者に表示媒体として視認させて黒色の表示を行う。ここでは、対向配置された導電性膜（電極）に電圧を印加して、電極対間に電界を形成する。電極対はマトリックス配置してあるので、１電極対を１画素（１ドット）とするドットマトリックス表示を白黒で行うことができる。なお、図１（ａ）、（ｂ）において、図面手前にある隔壁は省略している。ここではセルと画素（ドット）とが一対一に対応する例を示しているが、セルと画素とは対応していなくてもよい。
【００１２】
＜本発明の情報表示用パネルの回復方法について＞
まず、本発明の情報表示用パネルの回復方法を適用する時期は、適用しようとする情報表示用パネルを使用せずに長期保管した後、再度その情報表示用パネルの使用を開始する前の時点あるいは表示書き換えをしないで放置していた情報表示用パネルにて表示書き換えを実行しようとする前の時点である。なお、使用しないで放置している間の情報表示用パネルの状態については、特に限定するものではなく、情報表示用パネルに画像を表示したままでもよいし、画像を消去した状態、すなわち、白黒表示型の情報表示用パネルであれば白べた画像または黒べた画像を表示させたままで、電源に接続された状態で放置した場合や、情報表示用パネルに電源を接続しない状態で、すなわち、製品として出荷を待っている状態で長期間保管した場合を含む。また、表示書き換えを実行しない期間については、特に限定するものではないが、１か月〜数年の期間を想定する。
本発明の情報表示用パネルの回復方法では、情報表示用パネルに表示書き換えを実施する前に、所定の駆動電圧以上の電圧を、５００回−１５００回印加する処理を１０℃以上４０℃未満の温度で行った後、所定の駆動電圧以上の電圧を、５０回−５００回印加する処理を４０℃以上７０℃未満の温度で行うが、まず最初に室温程度の１０℃以上４０℃未満の温度で行うときに印加する電圧を、駆動電圧で実施してみた後、使用者が、良好な表示を得られていないと感じた場合に実行することができ、この場合には、上記想定期間の下限である１か月未満の数日間後であっても本発明の情報表示用パネルの回復方法を実行できる。
【００１３】
次に、本発明の情報表示用パネルの回復方法について、上述した図１（ａ）、（ｂ）に示す構成の情報表示用パネルを例にとって説明する。本発明の情報表示用パネルの回復方法を実施するには、まず、暫くの期間表示書き換えを実行しなかった情報表示用パネルに対し、室温程度の１０℃以上４０℃未満の温度で、表面側の全てのストライプ電極６および裏面側の全てのストライプ電極５をまとめて、まとめたストライプ電極５とストライプ電極６との間に、所定の駆動電圧以上の電圧を５００回−１５００回印加する。次に、所定の駆動電圧以上の電圧を５００回−１５００回印加した情報表示用パネルに対し、４０℃以上７０℃未満の温度で、表面側の全てのストライプ電極６および裏面側の全てのストライプ電極５をまとめて、まとめたストライプ電極５とストライプ電極６との間に、所定の駆動電圧以上の電圧を５０回−５００回印加する。
【００１４】
上述した本発明の情報表示用パネルの回復方法を実施することで、暫くの期間表示書き換えを実行しなかったために電荷が抜けて所定の帯電量を有しなくなってしまった粒子を、所定の帯電量を有する粒子に戻すことができ、基板間に配置されている２種類の粒子の各帯電量および２種類の粒子の帯電バランスを再調整することができる。そのため、本発明の情報表示用パネルの回復方法によれば、情報表示用パネルを暫くの期間表示書き換えを実行せずに放置したり、保管したりしても、情報表示用パネルを再び駆動させて情報を表示させる前に粒子の帯電特性が再調整されるので、コントラスト低下のない情報表示を行える。
【００１５】
なお、本発明の情報表示用パネルの回復方法において、暫くの期間表示書き換えを実行しなかった情報表示用パネルに対し、所定の駆動電圧以上の電圧を、５００回−１５００回印加する処理を１０℃以上４０℃未満の温度で行った後、５０回−５００回印加する処理を４０℃以上７０℃未満の温度で行うことが必須なのは、後述する実施例から明らかなように、上記範囲を逸脱した場合は良好なコントラスト比を得ることができないためである。また、２度目の処理の温度の上限を７０℃としたのは、次の理由による。
一般的に粒子や樹脂において、熱刺激電荷減衰 (Thermally Stimulated Charge Decay)を測定することにより、帯電電荷量や帯電電荷の温度特性について直接調べる研究が行われているが、室温より温度が高くなるにつれて、徐々に電荷は減衰しやすくなり、１００℃を超えると急激に電荷減衰しやすくなることが分かってきている。すなわち、１００℃を超える高温で熱処理を行うと、帯電低下が大きすぎるため、帯電特性を調整するという観点では１００℃以下とする必要があり、４０℃以上７０℃未満の温度が好ましい温度範囲となる。
【００１６】
＜本発明で用いる所定の駆動電圧について＞
本発明で用いる「所定の駆動電圧」は一般的には、情報表示用パネル内の粒子群を駆動させて画像を表示するために必要な電圧のことを意味する。そして、所定の駆動電圧を、対向する基板の各々に設けた電極間に形成する電圧を徐々に高くしていき、粒子を一方の基板側から他方の基板側へと移動させる際、９０％の粒子が一方の基板側から他方の基板側へと移動する電圧と定義することが好ましい。以下、この定義について説明する。
【００１７】
図２は本発明の情報表示用パネルの回復方法で利用する駆動電圧の一例を説明するための図である。図２に示す例では、正帯電性黒色粒子３Ｂａと負帯電性白色粒子３Ｗａとについて、それぞれの駆動電圧を説明する。
【００１８】
まず、正帯電性黒色粒子３Ｂａについて、印加電圧値（言い換えれば、電極間に形成した電圧）に対する移動粒子数の関係を以下のようにして調べた。図１（ａ）、（ｂ）に示す構成の情報表示用パネルにおいて、観察側基板側の全てのストライプ電極６が２００Ｖ、背面側基板側の全てのストライプ電極５が０Ｖとなるように、電圧を印加する。これによって、観察側基板側に全ての負帯電性白色粒子３Ｗａが移動するとともに、背面側基板側に全ての正帯電性黒色粒子３Ｂａが移動する。次に、観察側基板側の全てのストライプ電極６の電圧を０Ｖとして、背面側基板側の全てのストライプ電極５の電圧を０Ｖから１Ｖずつ上げながら印加する。１Ｖ上げるごとに、観察側基板側に移動した正帯電性黒色粒子３Ｂａの数を計測する。背面側基板側のストライプ電極５には電圧が１００Ｖになるまで印加する。１００Ｖの電圧はすべての負帯電性白色粒子３Ｗａと正帯電性黒色粒子３Ｂａとが観察側基板側および背面側基板側に別れて配置される電圧である。このときの観察側基板側に移動した正帯電性黒色粒子３Ｂａの数を１と規格化して、印加電圧と移動した黒色粒子数との関係を表したグラフが図２となる。
【００１９】
次に、負帯電性白色粒子３Ｗａについても、同様にして、印加電圧値に対する移動粒子数の関係を調べた。具体的には、観察側基板側の全てのストライプ電極６が０Ｖ、背面側基板側の全てのストライプ電極５が２００Ｖとなるように、電圧を印加する。これによって、観察側基板側には正帯電性黒色粒子３Ｂａが移動するとともに、背面側基板側に負帯電性白色粒子３Ｗａが移動する。次に、背面側基板側の全てのストライプ電極５の電圧を０Ｖとして、観察側基板側の全てのストライプ電極６の電圧を０Ｖから１Ｖずつ上げながら印加する。１Ｖ上げるごとに、観察側基板側に移動した負帯電性白色粒子３Ｗａの数を計測する。観察側基板側のストライプ電極６には電圧が１００Ｖになるまで印加する。このときの観察側基板側に移動した負帯電性白色粒子３Ｗａの数を１と規格化して、印加電圧と移動した白色粒子数との関係を表したグラフが図２となる。
【００２０】
このようにして求めた図２に示す正帯電性黒色粒子３Ｂａの特性を示すグラフと負帯電性白色粒子３Ｗａの特性を示すグラフにおいて、９０％の粒子が動く電圧をそれぞれ、正帯電性黒色粒子３Ｂａの駆動電圧および負帯電性白色粒子３Ｗａの駆動電圧とした。図２に示した黒色粒子および白色粒子をパネル基板間に配置した情報表示用パネルの所定の駆動電圧は、上記駆動電圧の高い方の電圧となる。図２に示した本実施例では、正帯電性黒色粒子３Ｂａの駆動電圧は、７０Ｖであり、負帯電性白色粒子３Ｗａの駆動電圧は、８０Ｖであり、したがって、この情報表示用パネルの所定の駆動電圧は、８０Ｖとなる。このように定義した「所定の駆動電圧」を用いることで、表示画像の買い換えに使用する所定の駆動電圧を正確に設定することができ、所定の駆動電圧以上の電圧を用いる上記情報表示用パネルの回復方法をより好適に実施することができる。
【００２１】
このように、情報表示用パネルの所定の駆動電圧は、正帯電性粒子、負帯電性粒子および情報表示用パネルの構成によって決まってくるので、前記三者の種類や構成が異なれば異なるものとなる。作製する情報表示用パネルに対応する所定の駆動電圧を予め把握しておき、この「所定の駆動電圧」を用いることで、表示画像の書換えに使用する所定の駆動電圧を正確に設定することができ、所定の駆動電圧以上の電圧を用いる上記情報表示用パネルの回復方法をより好適に実施することができる。
【実施例】
【００２２】
以下、実施例により本発明を更に詳細に説明するが、本発明は下記の実施例に何ら限定されるものではない。
【００２３】
（１）情報表示用パネルの準備について
以下のようにして、正帯電性黒色粒子群および負帯電性白色粒子群を準備し、準備した正帯電性黒色粒子群および負帯電性白色粒子群を利用して情報表示用パネルを準備した。
【００２４】
＜正帯電性黒色粒子＞
黒色表示媒体を構成する正帯電性黒色粒子を含んだ黒色粒子群の作製法を説明する。
メチルメタクリレートモノマー（関東化学株式会社製）６０質量部及びエチレングリコールジメタクリレート（和光純薬工業株式会社製）４０質量部（約２５ｍｏｌ％）に、正帯電の荷電制御剤としてニグロシン化合物「ボントロンＮ０７」（オリエント化学工業株式会社製）３質量部を、そして、黒色顔料としてカーボンブラック（スペシャルブラック、デグッサ社製）５質量部を、それぞれサンドミルにより分散させ、（メタ）アクリル系樹脂−炭化水素系樹脂ブロックコポリマー「モディパーＦ６００」（日油株式会社製）５質量部を溶解させ、さらにラウリルパーオキサイド「パーロイルＬ」（日油株式会社製）２質量部を溶解させた。得られた溶液を、界面活性剤としてポリオキシエチレンアルキルエーテル硫酸ナトリウム「ラテムルＥ−１１８Ｂ」（花王株式会社製）が０．５％添加された精製水に懸濁して重合させた。
得られた懸濁液をろ過した後、乾燥し、分級機「ＭＤＳ−２」（日本ニューマチック工業株式会社製）を用いて分級して、平均粒子径１０μｍ程度の正帯電性黒色粒子を得た。
次に、シリカ微小粒子（Ｗａｃｋｅｒ社製  Ｈ３０５０ＶＰ）を黒色粒子表面に付着させて、黒色表示媒体とする正帯電性黒色粒子を含んだ黒色の粒子群を得た。
【００２５】
＜負帯電性白色粒子＞
白色表示媒体を構成する負帯電性白色粒子を含んだ白色粒子群の作製法を説明する。
ポリメチルペンテン「ＴＰＸ−Ｒ１８」（三井化学株式会社製）１００質量部と、着色剤として二酸化チタン「タイペークＣＲ−９０」（石原産業株式会社製）１００質量部と、負帯電の荷電制御剤としてフェノール系縮合物「ボントロンＥ８９」（オリエント化学工業株式会社製）５質量部とを、二軸混練機により溶融混練し、ジェットミル（ラボジェットミルＩＤＳ−ＬＪ型、日本ニューマチック工業株式会社製）で細かく粉砕し、分級機「ＭＤＳ−２」（日本ニューマチック工業株式会社製）を用いて分級し、次いで溶融球状化装置「ＭＲ−１０」（日本ニューマチック工業株式会社製）を用いて溶融球状化し、平均粒子径１０μｍ程度の負帯電性白色粒子を得た。
次に、シリカ微小粒子（Ｗａｃｋｅｒ社製  Ｈ３００４）を白色粒子表面に付着させて、白色表示媒体とする負帯電性白色粒子を含んだ白色の粒子群を得た。
【００２６】
＜情報表示用パネル＞
厚さ７００μｍのガラス基板を二枚準備し、一方の面上にライン２８０μｍ、スペース２０μｍでストライプ状のＩＴＯ（酸化インジウム錫）電極を形成した。そして、一方のガラス基板のＩＴＯ電極上に高さ４０μｍで格子状の隔壁を形成し、開口が３００μｍ×３００μｍの正方形セルをマトリックス配置した。そして、セル内に二種類の粒子群を表示媒体として配置した後、二枚のガラス基板を貼り合わせて情報表示用パネルを得た。セルと対向電極対とは一対一に配置されるように対応させた。
【００２７】
（２）情報表示用パネルに対する回復処理について
上記のようにして作製した情報表示用パネルに対し、テストパターン表示を行う表示駆動を実施して、駆動確認テストを実施したあと、１０℃から４０℃で通常の室温管理された場所に１か月間保管した情報表示用パネルを準備した。まず、この長期保管後の情報表示用パネルに対し、図３に示す回復処理駆動波形を有する、駆動電圧以上（ここでは駆動電圧と同じ）電圧を、以下の表１に示すように、常温（１０℃以上４０℃未満の温度）で５００回−１５００回印加した。次に、上記最初の回復処理を終了した情報表示用パネルに対し、図３に示す回復処理駆動波形を有する、駆動電圧以上（ここでは駆動電圧と同じ）電圧を、以下の表１に示すように、４０℃以上７０℃未満の温度で５０回−５００回印加した。実際の回復処理のための電圧の印加にあたっては、図３に示す回復処理駆動波形を有する電圧を、背面側基板側の電極を０Ｖとした状態で、観察側基板側の電極に印加した。また、１回の回復処理駆動波形は、５００μｓの幅の波形を印加し、複数回を１群とし、正負の両極性を１組の波形として印加した。なお、１群内の波形の数は任意である。
【００２８】
（３）コントラスト回復の評価について
回復処理を終了した情報表示用パネルに対し、図４に示す駆動電圧（長いパルス幅の駆動波形を有する電圧）を情報表示用パネルに印加し、以下の表１に示すように、表示画像の買い換えを１回から３０００回まで行った。具体的には、図４に示す駆動電圧８０Ｖを、背面側基板側の電極を０Ｖとした状態で、観察側基板側の電極に印加した。なお、回復処理前の情報表示用パネルのコントラスト比は、全て２以下であった。
【００２９】
図４に示す駆動電圧において、初期化部では、５００μｓ幅の波形を有する電圧を印加し、複数回を１群として複数群を印加するとともに、書き込み部の直前には、書き込み部で印加する電圧極性とは逆の極性の電圧を印加した。なお、１群内の長パルス波形の数は任意であり、印加する群の数も任意である。表示画像の書き込みを行う書き込み部では、１００μｓ幅の短パルス波形の電圧を印加した。
【００３０】
表示画像の書き換えを１回から３０００回まで行った情報表示用パネルの各々の白表示部の光学濃度および黒表示部の光学濃度を測定し、それぞれ白反射率、黒反射率に換算した後、その比、すなわち、（白反射率）／（黒反射率）をコントラスト比として求め、比較した。光学濃度は、温度２３℃、湿度４５％の条件下、グレタグマクベス社製のＳｐｅｃｔｒｏ  Ｅｙｅ  ＬＴを用いて測定した。結果を以下の表１に示す。コントラスト比が３以上であれば、視認者には良好と感じられる表示状態といえるので、このコントラスト比が、表示状態を判断するメジャーとなる。
【００３１】
【表１】
2013228615.tif 000003
【００３２】
表１の結果から、長期間表示書き換えを行わなかった情報表示用パネルに対し、所定の駆動電圧以上の電圧を、１０℃以上４０℃未満の温度で５００回−１５００回印加する処理を行った後、４０℃以上７０℃未満の温度で５０回−５００回印加する処理を行った例では、表示書換えを１回から３０００回実施した場合でも、コントラスト比が３以上の良好な状態を維持することができ、回復処理の効果がわかる。一方、いずれかの条件で上記本発明の条件を逸脱した例では、１回から３０００回の表示書換えのいずれかで、コントラスト比が３未満となり、回復処理の効果が得られていないことがわかる。
【００３３】
以上の結果から、長期間表示書き換えを行わなかった情報表示用パネルに対し、所定の駆動電圧以上の電圧を、１０℃以上４０℃未満の温度で５００回−１５００回印加する処理を行った後、４０℃以上７０℃未満の温度で５０回−５００回印加する処理を行うことで、長期間表示書き換えを行わなかった情報表示用パネルについても、長期間表示書き換えを行わなかった後でも良好なコントラストで表示することができることがわかる。
【産業上の利用可能性】
【００３４】
本発明の情報表示用パネルの回復方法によれば、長期間表示書き換えを行わなかった情報表示用パネルについても、長期間表示書き換えを行わなかった後でも良好なコントラストで表示することができる。このような情報表示用パネルは、ノートパソコン、電子手帳、ＰＤＡ(Personal Digital Assistants)と呼ばれる携帯型情報機器、携帯電話、ハンディターミナル等のモバイル機器の表示部、電子書籍、電子新聞等の電子ペーパー、看板、ポスター、黒板（ホワイトボード）等の掲示板、電子卓上計算機、家電製品、自動車用品等の表示部、ポイントカード、ＩＣカード等のカード表示部、電子広告、情報ボード、電子ＰＯＰ(Point Of Presence, Point Of Purchase advertising)、電子値札、電子棚札、電子楽譜、ＲＦ−ＩＤ機器の表示部のほか、ＰＯＳ端末、カーナビゲーション装置、時計など様々な電子機器の表示部に好適に用いられる。
【符号の説明】
【００３５】
１  背面側基板（基板）
２  観察側基板（基板）
３Ｂ  正帯電性黒色粒子を含む粒子群（黒色粒子群）
３Ｗ  負帯電性白色粒子を含む粒子群（白色粒子群）
３Ｂａ  正帯電性黒色粒子
３Ｗａ  負帯電性白色粒子
４  隔壁
５、６  導電性膜（電極）
７  セル
【図１】
2013228615.tif 000004
【図２】
2013228615.tif 000005
【図３】
2013228615.tif 000006
【図４】
2013228615.tif 000007